(57)【要約】  周波数シーケンスの周波数を周波数ホッピングするための周波数ホッピング・システム（３）で使用するための装置（１、２）は、第１のシーケンスが第２のシーケンスより長い、第１のシーケンスと第２のシーケンスを含む複数のシーケンスから、シーケンスを選択するためのセレクタ（４）を導入することによって、より優れた全体的性能が得られる。発生器（７）は、第１および第２のシーケンスを発生する。モニタ（５）は使用しているチャネルを監視し、コントローラ（６）は、第１のモードでは前記第１のシーケンスを選択し、第２のモードでは監視結果に応じて前記第２のシーケンスを選択するためのセレクタ（４）を制御する。修正器（８）は、第２のシーケンスを修正する。第２のシーケンスは、第１のシーケンスのサブセットとなるものでよい。こうすることによって全体的な品質が向上し、消費電力が低減される。
2007533241.tif 000002
【特許請求の範囲】
【請求項１】
周波数シーケンスの周波数を周波数ホッピングするための周波数ホッピング・システムで使用するための装置であって、前記装置は複数のシーケンスから前記シーケンスを選択するためのセレクタを含み、前記複数のシーケンスは第１のシーケンスと第２のシーケンスとを含み、前記第１のシーケンスは前記第２のシーケンスより長い、装置。
【請求項２】
監視結果に応じて、少なくとも１つのシーケンスを選択するために前記シーケンスの少なくとも１つのために使用しているチャネルを監視するためのモニタをさらに含む、請求項１に記載の装置。
【請求項３】
第１のモードでは前記第１のシーケンスを選択し、第２のモードでは前記第２のシーケンスを選択するための前記セレクタを制御するためのコントローラをさらに含む、請求項１に記載の装置。
【請求項４】
前記シーケンスの少なくとも１つのために使用しているチャネルを監視するためのモニタをさらに含み、第１のモードでは前記第１のシーケンスを選択し、第２のモードでは監視結果に応じて前記第２のシーケンスを選択するための前記セレクタを制御するためのコントローラをさらに含む、請求項１に記載の装置。
【請求項５】
前記複数のシーケンスを発生するための発生器をさらに含む、請求項１に記載の装置。
【請求項６】
前記発生器が、識別コードをアルゴリズムに入力することによって、前記複数のシーケンスを発生する、請求項５に記載の装置。
【請求項７】
前記シーケンスの少なくとも１つのために使用しているチャネルを監視するためのモニタをさらに含み、監視結果に応じて少なくとも１つのシーケンスを修正する修正器をさらに含む、請求項１に記載の装置。
【請求項８】
前記第２のシーケンスが、前記第１のシーケンスのサブセットである、請求項１に記載の装置。
【請求項９】
周波数シーケンスの周波数を周波数ホッピングするための、端末装置と局装置を含む周波数ホッピング・システムであって、前記各装置が、複数のシーケンスから前記シーケンスを選択するためのセレクタを含み、前記複数のシーケンスは第１のシーケンスと第２のシーケンスとを含み、前記第１のシーケンスは前記第２のシーケンスより長い、システム。
【請求項１０】
周波数シーケンスの周波数を周波数ホッピングするための、周波数ホッピング・システムで使用するための装置に使用される回路であって、前記回路が、複数のシーケンスから前記シーケンスを選択するためのセレクタを含み、前記複数のシーケンスは第１のシーケンスと第２のシーケンスとを含み、前記第１のシーケンスは前記第２のシーケンスより長い、回路。
【請求項１１】
周波数シーケンスの周波数を周波数ホッピングするための、周波数ホッピング・システムで使用するための装置に使用される方法であって、前記方法が、複数のシーケンスから前記シーケンスを選択するための選択ステップを含み、前記複数のシーケンスは第１のシーケンスと第２のシーケンスとを含み、前記第１のシーケンスは前記第２のシーケンスより長い、方法。
【請求項１２】
周波数シーケンスの周波数を周波数ホッピングするための、周波数ホッピング・システムで使用するためのプロセッサ・プログラムであって、前記プロセッサ・プログラムが、複数のシーケンスから前記シーケンスを選択するための選択機能を含み、前記複数のシーケンスは第１のシーケンスと第２のシーケンスとを含み、前記第１のシーケンスは前記第２のシーケンスより長い、プロセッサ・プログラム。
【請求項１３】
周波数シーケンスの周波数を周波数ホッピングするための、周波数ホッピング・システムで使用するための無線周波数信号であって、前記シーケンスは複数のシーケンスから選択され、前記複数のシーケンスは第１のシーケンスと第２のシーケンスとを含み、前記第１のシーケンスは前記第２のシーケンスより長い、無線周波数信号。
【発明の詳細な説明】
【技術分野】
【０００１】
本発明は周波数ホッピング・システムで使用するための装置に関し、また周波数ホッピング・システム、装置で使用するための回路、方法、プロセッサ・プログラム、および無線周波数信号に関する。
【０００２】
このような装置の例は、ディジタル・コードレス電話システムにおける端末または携帯ユニット、および局（ステーション）または固定ユニットである。
【背景技術】
【０００３】
従来技術の装置は、周波数ホッピング・システムにおける周波数捕捉の方法を開示した国際公開ＷＯ００／７４２５７Ａｌ号によるものが知られている。このような周波数ホッピング・システムでは、送信器は所定の、Ｎ個（Ｎ≧２）の周波数からなる固定シーケンスを介して連続的にホッピングする。受信器は同じＮ個の周波数からなるシーケンスを記憶しているが、最初は現在どの周波数が使用されているかは分からない。したがって、受信器はこの周波数を検出し、シーケンスの段階に同期しなければならない。
【０００４】
このため、従来技術のシーケンスは固定である。すなわちシーケンスは、固定数の固定周波数からなる。さらにこのシーケンスは、融通性のない妥協によるものである。すなわちロックを維持するという目的のために、混信に対してできるだけ頑丈にするには、シーケンスは長くすべきである。短いシーケンスに比べて、長いシーケンスは混信を受けたチャネルの最悪の場合の影響が軽減される。しかしアクティブ接続という目的のために、混信に対してできるだけ頑丈にするには、シーケンスは短くすべきである。長いシーケンスに比べて短いシーケンスは、混信を受けたチャネルを取り除くのに必要な周波数置換または周波数削除の数は少なくなる。
【０００５】
既知の装置は、中でも、ホッピング・シーケンスの使用に融通性がないために、全体の性能が比較的悪いという不都合がある。
【発明の開示】
【発明が解決しようとする課題】
【０００６】
本発明の一目的は、中でも、全体の性能が比較的良好な装置を提供することである。
【０００７】
本発明の他の目的は、中でも、全体の性能が比較的良好な装置中でまたはそれと組み合わせて使用するための周波数ホッピング・システム、回路、方法、プロセッサ・プログラム、および無線周波数信号を提供することである。
【課題を解決するための手段】
【０００８】
周波数シーケンスの周波数を周波数ホッピングするための周波数ホッピング・システムで使用するための本発明による装置は、複数のシーケンスからシーケンスを選択するセレクタを含み、この複数のシーケンスは第１のシーケンスと第２のシーケンスとを含み、第１のシーケンスは第２のシーケンスよりも長い。
【０００９】
第１および第２のシーケンスは、たとえば装置内に格納されてもよい。セレクタは、長いシーケンスまたは短いシーケンスを選択する。本発明による装置は、ホッピング・シーケンスの使用に比較的融通性があることにより、全体の特性がより優れている。長いシーケンスが必要な場合は長いシーケンスが選択され、短いシーケンスが必要な場合は短いシーケンスが選択されるので、融通性のない妥協が避けられる。このことは大きな利点である。他の利点は全体の品質が向上し、消費電力が低減されることである。品質は、装置動作の異なる段階に対して適したシーケンス長さを使用することによって向上する。消費電力は、ホッピング・シーケンスを維持するために制御メッセージを増やす必要がないことにより、短いシーンケンスのみを使用する装置に比べて低減される。もちろん、長さが異なる、２つより多いシーケンスを使用することもできる。
【００１０】
加国特許第２，３３９，５１５号は、直交周波数分割多重方式ベースのスペクトル拡散多元接続における、パイロットの使用を開示していることに留意すべきである。こうした方式では、トーン周波数が使用可能な帯域を越えると常に、パイロット・トーンのホッピング・シーケンスが中断され得る。その場合、これらのトーンは、偽のトーンと指定され、送信されない。したがって加国特許第２，３３９，５１５号では、長さの異なる少なくとも２つのシーケンスの一方を選択することは開示されていない。
【００１１】
本発明による装置の一実施形態は、監視結果に応じて少なくとも１つのシーケンスを選択するために、少なくとも１つのシーケンスのために使用しているチャネルを監視するためのモニタをさらに含んで定義される。この場合、監視結果がシーケンス選択の基準になる。もちろん、監視結果に直接依存して選択を行う代わりに、監視結果に間接的に依存して選択が行われてもよい。後者はたとえば、第一に監視結果を品質尺度に変換し、第二にこの品質尺度をシーケンス選択の基準にする。
【００１２】
本発明による装置の一実施形態は、第１のモードでは第１のシーケンスを選択し、第２のモードでは第２のシーケンスを選択するためのセレクタを制御するためのコントローラをさらに含んで定義される。この場合、モードがシーケンス選択の基準となる。第１のモードはたとえば、「初期同期およびアクティブ接続セットアップ・モード」を含み、第２のモードはたとえば、「セットアップ後アクティブ接続モード」を含む。
【００１３】
本発明による装置の一実施形態は、少なくとも１つのシーケンスのために使用しているチャネルを監視するためのモニタをさらに含み、第１のモードでは第１のシーケンスを選択し、第２のモードでは監視結果に応じて第２のシーケンスを選択するためのセレクタを制御するためにコントローラをさらに含んで定義される。この場合、第１のモードが第１のシーケンスを選択するための基準となり、第２のモードが監視結果との組合せで第２のシーケンスを選択するための基準となる。これらのモードの例は上で述べられている。監視結果への依存性は、直接的でも間接的でもよい。
【００１４】
本発明による装置の一実施形態は、複数のシーケンスを発生するための発生器をさらに含んで定義される。この場合、第１および第２のシーケンスは発生器によって発生される。
【００１５】
本発明による装置の一実施形態は、識別コードをアルゴリズムに入力することによって複数のシーケンスを発生する発生器により定義される。この場合、識別コードは、共に動作する任意数の携帯装置と任意数の固定装置を含むシステムごとに固有とすることができる。携帯部分と固定部分のそれぞれは、事前プログラミング、または装置間でデータをやり取りするプロセスによって同じ識別コードをもつ。
【００１６】
本発明による装置の一実施形態は、少なくとも１つシーケンスのために使用しているチャネルを監視するためのモニタをさらに含み、監視結果に応じて少なくとも１つのシーケンスを修正する修正器をさらに含んで定義される。この場合、監視結果に応じて少なくとも１つのシーケンスが修正され得る。修正は、１つまたは複数の追加周波数、１つまたは複数の削除周波数、および／または１つまたは複数の置換周波数を含むことができる。監視結果への依存性は、直接的でも間接的でもよい。
【００１７】
本発明による装置の一実施形態は、第２のシーケンスが、第１のシーケンスのサブセットであることによって定義される。この場合、チャネルの監視は第１のシーケンスのチャネルに限定され、これはこれらのチャネルが第２のシーケンスのチャネルを含むからである。
【００１８】
本発明による周波数ホッピング・システムは、たとえば携帯装置などの端末装置、およびたとえば固定装置などの局装置を含む。
【００１９】
本発明による回路は、たとえば無線周波数回路であり、たとえば送信器、受信器、または送受信器をさらに含む。
【００２０】
本発明による周波数ホッピング・システム、本発明による回路、本発明による方法、本発明によるプロセッサ・プログラム、および本発明による無線周波数信号の実施形態は、本発明による装置の実施形態に対応する。
【００２１】
本発明は、中でも、周波数ホッピング・システムにおける固定シーケンスは融通性のない妥協であるとの洞察に基づき、かつ、中でも、異なる長さの異なるシーケンスが、周波数ホッピング・システムにおいて異なる時点で使用されるという基本概念に基づく。
【００２２】
本発明は、中でも、全体の特性が比較的よく、中でも融通性のない妥協が避けられる点で有利な装置を提供するという問題を解決する。全体の品質は向上し、消費電力は低減される。
【００２３】
本発明の上記その他の態様は、以下に記載の実施形態から明らかになり、それを参照することにより明瞭となるであろう。
【発明を実施するための最良の形態】
【００２４】
図１に示される本発明による装置１、２は、たとえば端末装置１または携帯部分、あるいは局装置２または固定部分などであり、回路２０を含む。
【００２５】
回路２０は、アンテナに結合された送受信器９を含む。送受信器９の制御入力端はセレクタ４の出力端に結合され、送受信器９の制御入出力端は、結合部を介してプロセッサ・システム１０の制御入出力端に結合される。プロセッサ・システム１０は、たとえばプロセッサとメモリを含む。セレクタ４の第１の入力端は、第１の（長い）周波数シーケンスを記憶するために、メモリ１１の第１のフィールド１２に結合される。セレクタ４の第２の入力端は、第２の（短い）周波数シーケンスを記憶するために、メモリ１１の第２のフィールド１３に結合される。第１のフィールド１２および第２のフィールド１３は、カウンタ１４の出力端にさらに結合される。カウンタ１４の制御入力端は、プロセッサ・システム１０の制御出力端に結合される。
【００２６】
回路２０は、モニタ５、コントローラ６、発生器７、および修正器８をさらに含む。コントローラ６は、プロセッサ・システム１０に結合される。コントローラ６の制御出力端は、セレクタ４の入力の１つを選択してその出力端に接続するために、セレクタ４の制御入力端に結合される。発生器７は、プロセッサ・システム１０に結合される。発生器７の第１の制御出力端は、第１のフィールド１２にアクセスするために、メモリ１１の第１の制御入力端に結合される。発生器７の第２の制御出力端は、第２のフィールド１３にアクセスするために、メモリ１１の第２の制御入力端に結合される。発生器７はさらに、修正器８に結合される。修正器８はさらに、プロセッサ・システム１０およびモニタ５に結合される。モニタ５はさらにプロセッサ・システム１０およびコントローラ６に結合され、送受信器９とプロセッサ・システム１０の間の結合部にさらに結合することもできる。
【００２７】
装置１、２は、送受信器９に結合されたカップラ２１をさらに含む。カップラ２１の出力端は、結合部を介してマン・マシン・インターフェース２２の入力端に結合され、この結合部はモニタ５にさらに結合することもできる。カップラ２１の入力端は、マン・マシン・インターフェース２２の出力端に結合される。マン・マシン・インターフェース２２はさらに、メモリ２３に結合され、かつプロセッサ・システム１０に結合される。メモリ２３はさらに、プロセッサ・システム１０に結合される。マン・マシン・インターフェース２２はたとえば、キーボード、ディスプレイ、スピーカ、マイクロフォンなどを含む。
【００２８】
図２に示される本発明による周波数ホッピング・システム３は、たとえばディジタル・コードレス電話システムなどであり、端末装置１と局装置２を含む。
【００２９】
図３に示す本発明による無線周波数信号のタイム・チャートは、上部に３つのフレームｘ、ｘ＋１、およびｘ＋２を示し、これは同期段階を示している。フレームｘでは無線周波数信号Ａがチャネルａを通してやり取りされる。フレームｘ＋１では無線周波数信号Ｂがチャネルｂを通してやり取りされる。フレームｘ＋２では無線周波数信号Ｃがチャネルｃを通してやり取りされる。信号Ａ、Ｂ、およびＣはたとえば、局装置２から端末装置１へ送信される。チャネルａ、ｂ、およびｃは、信号Ａ、Ｂ、およびＣが送信されるフレームおよびタイム・スロットの値によって参照される、第１の（長い）周波数シーケンスから選択される。第１の（長い）周波数シーケンスから使用する要素は、（Ｆ＋Ｔ）％Ｌで定義され、Ｆはフレーム、Ｔはタイム・スロット、Ｌは第１の周波数シーケンスの長さである。第１のモード（同期およびセットアップ）では、第１の（長い）チャネルのシーケンスが、ダウンストリーム方向に使用される。第２のモード（アクティブ接続）では、第１の（長い）チャネルのシーケンスが、ダウンストリームおよびアップストリーム方向に使用される。
【００３０】
図３の下部は、３つのフレームｙ、ｙ＋１、およびｙ＋２を示し、これはアクティブ段階を示している。フレームｙでは、無線周波数信号Ｄがチャネルｄを通してやり取りされ、無線周波数信号Ｇがチャネルｇを通してやり取りされる。フレームｙ＋１では、無線周波数信号Ｅがチャネルｅを通してやり取りされ、無線周波数信号Ｈがチャネルｈを通してやり取りされる。フレームｙ＋２では、無線周波数信号Ｆがチャネルｆを通してやり取りされ、無線周波数信号Ｉがチャネルｉを通してやり取りされる。信号Ｄ、Ｅ、およびＦはたとえば、局装置２から端末装置１へ送信され、信号Ｇ、Ｈ、およびＩはたとえば、その逆に送信される。チャネルｄ、ｅ、およびｆは、信号Ｄ、Ｅ、およびＦが送信されるフレームの値によって参照される第２の（短い）ダウンストリーム周波数シーケンスから選択される。第２の（短い）周波数シーケンスから使用する要素は、Ｆ％Ｌで定義され、Ｆはフレーム、Ｌは第２のダウンストリーム周波数シーケンスの長さである。この例ではスロット当たり１つのシーケンスであり、そうでない場合には別の要素が必要となり得る。チャネルｇ、ｈ、およびｉは、信号Ｇ、Ｈ、およびＩが送信されるフレームの値によって参照される第２の（短い）アップストリーム周波数シーケンスから選択される。第２の（短い）周波数シーケンスから使用する要素は、Ｆ％Ｌで定義され、Ｆはフレーム、Ｌは第２のアップストリーム周波数シーケンスの長さである。この例ではスロット当たり１つのシーケンスであり、そうでない場合には別の要素が必要となり得る。もちろん通常はシーケンスは、より長く、３つより多い周波数を含み、したがって図示の周波数信号は、シーケンスの一部のみである。初めは、第１のモード（同期およびセットアップ）では、第２のダウンリンク周波数シーケンスと、第２のアップストリーム周波数シーケンスは同じでよい。後に、第２のモード（アクティブ接続）において、修正がなされた後に、それらは異なり得る。
【００３１】
図４に示す本発明による方法の流れ図では、以下のブロックは以下の意味をもつ。
ブロック３１：開始し、第１および第２のシーケンスを発生し、ブロック３２へ進む。
ブロック３２：第１のシーケンスを選択し、端末装置１は第１のモード（同期およびセットアップ）となり、ブロック３３へ進む。
ブロック３３：周波数を選び、局装置２へのロックを試み、ブロック３４へ進む。
ブロック３４：選ばれた周波数上での受信を試み、ブロック３５へ進む。
ブロック３５：受信が良好ならばブロック３７へ進み、そうでなければブロック３６へ進む。
ブロック３６：試行の間、ゼロでもよいある期間遅延し、ブロック３３へ進む。
ブロック３７：ゼロでもよいある期間遅延し、局装置からの受信を行い、ブロック３８へ進む。
ブロック３８：接続セットアップが必要な場合はブロック３９へ進み、そうでなければブロック３７へ進む。
ブロック３９：第１の（長い）シーケンスを使用して接続をセットアップし、端末装置１は第２のモード（アクティブ接続）となり、ブロック４０へ進む。
ブロック４０：関連する第２の（短い）シーケンス中の周波数上での受信品質が良好な場合はブロック４３へ進み、そうでなければブロック４１へ進む。
ブロック４１：第２の（短い）シーケンスを修正し、ブロック４２へ進む。
ブロック４２：局装置２に通知し、ブロック４０へ進む。
ブロック４３：第２の（短い）シーケンスを使用するように切り換え、局装置２に通知し、ブロック４４へ進む。
ブロック４４：依然として接続が必要な場合はブロック４６へ進み、そうでなければブロック４５へ進む。
ブロック４５：接続を停止し、第１の（長い）シーケンスに戻し、ブロック３７へ進む。
ブロック４６：関連する第２の（短い）シーケンス中の周波数上での受信品質が良好な場合はブロック４４へ進み、そうでなければブロック４７へ進む。
ブロック４７：第２の（短い）シーケンスを修正し、ブロック４８へ進む。
ブロック４８：局装置２に通知し、ブロック４４へ進む。
【００３２】
図２および図１に示された端末装置１および局装置２の動作は、図３および図４に鑑みて、より詳しくは次のとおりである。初めに、第１（長い）および第２（短い）の周波数シーケンスは、装置１および２の両方において、発生器７（ブロック３１）によって発生される。これらのシーケンスは、メモリ１１のフィールド１２および１３に記憶される。セレクタ４は、周波数ホッピングのために使用される第１の周波数シーケンスを選択する（ブロック３２）。局装置２は、図３に示すように、第１の周波数シーケンスに基づいて無線周波数信号Ａ〜Ｃを送信する。端末装置１は第１のモード（同期およびセットアップ）となり、無線周波数信号Ａ〜Ｃのために使用された第１の（長い）シーケンスからの周波数の１つでの局装置２からの送信を検出しようとする。送信を検出した後、端末装置１は、それ自体の第１の周波数シーケンスを、局装置により使用されている第１の周波数シーケンスと同期させ、ロック状態に入ることができる。検出および同期は、当技術分野で一般的な技術である（ブロック３３〜３８）。
【００３３】
ロックした後、端末装置１は、局装置２とロックしたままであることを確実にするためと、局装置２から何らかの要求があるかを確認するために、定期的であるが頻繁ではない受信を行う。何らかの理由によりロックが外れた場合は、プロセスが再度開始する。
【００３４】
ロック段階にある場合は、局装置２と端末装置１の間の双方向通信をセットアップするための新しい段階に入ることができる（ブロック３９）。これは端末装置１が、局装置２からの受信を行っているのとは別のスロット上に送信することによって達成される。端末装置１と局装置２は、同じ第１の（長い）シーケンスを使用したロック状態にあるので、この新しいスロット用に使用する周波数は装置１、２の両方が分かっている。端末装置１および／または局装置２は、そのモニタ５を通して、第２の（短い）シーケンス中の使用している周波数を監視する（ブロック４０〜４２）。モニタ５は、たとえば信号パラメータを検出し、検出された信号パラメータを互いに、および／または閾値と比較することにより、および／またはチャネル当たりのノイズを計算することなどにより、第２の周波数シーケンスのために使用している周波数の品質を確認する（ブロック４０〜４２）。
【００３５】
第２の周波数シーケンスのために使用しているチャネルの品質が十分な場合は、端末装置１と局装置２の間で通信が行われる。この通信によって、装置１および２のセレクタ４は、第２のシーケンスを選択する（ブロック４３）。局装置２は、図３に示されるように、第２の周波数シーケンスに基づいて無線周波数信号Ｄ〜Ｆを送信する。端末装置１および／または局装置２内のモニタ５は、第２の周波数シーケンスのために使用しているチャネルの監視を続ける。
【００３６】
端末装置１および／または局装置２のモニタ５が、第２の周波数シーケンスのために使用しているチャネルを修正すべきかどうか確認しているどのステージにおいても（ブロック４４〜４８）、第２の周波数シーケンス用のために使用しているチャネルの品質が十分でない場合は、端末装置１と局装置２の間に通信が行われる。この通信により、修正器８は、装置１および２の発生器７に第２のシーケンスを修正するように指示する。第１の（長い）シーケンスを使用している場合は、第２の（短い）シーケンスが修正されるが送信／受信に使用される周波数には影響を与えない。第２の（短い）シーケンスを使用している場合は、図３に示されるように、局装置２は、第２のそして修正された周波数シーケンスに基づいて無線周波数信号Ｄ〜Ｆを送信する。端末装置１および／または局装置２内のモニタ５は、第２のそして修正された周波数シーケンスのために使用しているチャネルの監視を続ける（ブロック４４〜４８）。
【００３７】
第１のモードはたとえば「初期同期およびアクティブ接続セットアップ・モード」を含み、第２のモードはたとえば「セットアップ後アクティブ接続モード」を含む。通常、１つの周波数シーケンスは、周波数チャネル、すなわち特定の順序でホッピングすべきチャネル周波数を規定する。装置１または２の発生器７は、たとえば識別コードをアルゴリズムに入力することによって複数のシーケンスを発生する。識別コードは端末装置１ごとに固有とすることができ、その場合は各シーケンスは端末装置１ごとに固有となる。もちろん局装置２には、端末装置１の識別情報が通知されなければならない。アルゴリズムに識別コードを入力することによって１つのシーケンスを発生させるのは、当技術分野で一般的な技術である。修正は、１つまたは複数の周波数の追加、１つまたは複数の周波数の削除、および／または１つまたは複数の周波数の置換えを含むことができる。第２のシーケンスは、第１のシーケンスのサブセットであることが好ましい。この場合、第１のシーケンスのチャネルは第２のシーケンスのチャネルを含むので、チャネルの監視は第１のシーケンスのチャネルに限定することができる。
【００３８】
第１および第２のモードは、装置１および２の状態を表している。言いかえればプロセッサ・システム１０は、その装置１および２の状態を管理することになる。セレクタ４、モニタ５、コントローラ６、発生器７、修正器８、メモリ１１、およびカウンタ１４は、プロセッサ・システム１０の外側にあるが、別法として１つまたは複数のこれらのユニットが、ハードウェアおよび／またはソフトウェアの形でプロセッサ・システム１０内にあってもよい。モニタ５は、プロセッサ・システム１０を介して間接的に、または送受信器９とプロセッサ・システム１０の間の結合部を介して、および／またはカップラ２１とマン・マシン・インターフェース２２の間の結合部を介して、より直接的にチャネルを監視する。別法としてモニタ５は、モニタ５を送受信器９の内部に配置することによって最も直接的に監視を行うことができる。カウンタ１４は、フレームごと、および／またはスロットごとにカウント値を増加するのに、プロセッサ・システム１０によって制御される。このカウント値は、使用される選択されたシーケンスの要素を定義する。
【００３９】
図３において、無線周波数信号Ａ〜Ｃは第１の（長い）周波数シーケンスに基づき、無線周波数信号Ｄ〜Ｆは局装置２から端末装置１に送信される第２の（短い）ダウンストリーム周波数シーケンスに基づく。無線周波数信号Ｇ〜Ｉは、端末装置１から局装置２に送信される第２の（短い）アップストリーム周波数シーケンスに基づく。したがって、ダウンストリーム方向とアップストリーム方向とで、修正前でも修正後でも、異なる第２の（短い）シーケンスを使用することができる。両方のあるいはすべての第２の（短い）シーケンスは、第１の（長い）シーケンスのサブセットとなることが好ましい。異なる方向に対する異なるシーケンスの使用は、当技術分野では一般的な技術である。
【００４０】
図４において、第２のモードでは各スロットのデータが、そのスロット中の他のデータに対して付加され多重化されたオーバヘッド情報を含むことにより、（セットアップ後の）アクティブ接続中では装置１と２の間の通信が可能である。この、他のデータはたとえば音声情報、および／または映像情報、および／または追加の情報を含む。
【００４１】
上述の実施形態は本発明を説明するものであり、それを限定するものではなく、当業者なら添付の特許請求の範囲から逸脱することなく多くの代替実施形態を設計することが可能であることに留意すべきである。特許請求の範囲において括弧内に置かれたいずれの参照記号も、特許請求の範囲を限定するものと解釈されるべきではない。「含む（ｃｏｍｐｒｉｓｅ）」という動詞およびその活用形は、請求項中に記載されたもの以外の要素またはステップの存在を除外するものではない。要素に先行する冠詞「ａ」または「ａｎ」は、複数のそのような要素の存在を除外するものではない。本発明は、複数の異なる要素を含むハードウェアを用いて実施することができ、かつ適切にプログラミングされたコンピュータを用いて実施することができる。複数の手段を列挙した、装置に関する請求項では、これらの手段のいくつかを同じ１つのハードウェア品目によって実施することもできる。単に、いくつかの対策が互いに異なる従属請求項中に記載されていることは、これらの対策の組合せが利用できないことを示すものではない。
【図面の簡単な説明】
【００４２】
【図１】本発明による回路を含む、本発明による装置を示すブロック図である。
【図２】本発明による周波数ホッピング・システムを示す、ブロック図である。
【図３】本発明による無線周波数信号のタイム・チャートである。
【図４】本発明による方法を示す、流れ図である。
【図１】
2007533241.tif 000003
【図２】
2007533241.tif 000004
【図３】
2007533241.tif 000005
【図４】
2007533241.tif 000006
【国際調査報告】
2007533241.tif 000007
2007533241.tif 000008